(57)【要約】【課題】表示領域を複数ブロックに分割した駆動を行う際に、ブロック間での輝度差を効果的に低減して、輝度差による境目の発生を抑制した表示装置を提供することを目的とする。【解決手段】異なるブロックに区分される表示セグメントを混在して位置させる領域を設け、この領域において、複数のブロックに属する表示セグメントを混在させる比率を複数段階で変化させることにより、ブロック間の輝度差による境目を目立たなくさせ、また、ブロック間の中間に新たな帯状領域が観測されることを抑制できる。【選択図】図１
2005215402.tif 000002
【特許請求の範囲】
【請求項１】
１つまたは複数の第１の電極と、
複数の第２の電極と、
前記第１の電極と前記第２の電極により定められる複数の表示セグメントと、
前記第１の電極に電圧を印加する手段と、
前記第２の電極に電圧を印加する複数の電圧印加手段とを備え、
前記複数の表示セグメントは複数のブロックに区分され、
前記電圧印加手段は前記複数のブロックに対応して設けられ、
前記複数のブロックのうち、異なるブロックに区分される表示セグメントを混在して位置させる領域において、
前記混在して位置させる比率を複数段階で変化させたことを特徴とする表示装置。
【請求項２】
２つの異なるブロックに区分されかつ隣接する２つの表示セグメントの少なくとも一方の表示セグメントは、当該セグメントと同一ブロックに区分される他の表示セグメントと隣接しないことを特徴とする請求項１に記載の表示装置。
【請求項３】
前記表示セグメントは、行または列を単位とする領域であることを特徴とする請求項１から請求項２に記載の表示装置。
【請求項４】
前記複数のブロックのうち１のブロックが占有する比率が、表示領域の所定の方向に対して単調増加となる部分を含むことを特徴とする請求項１から請求項３に記載の表示装置。
【請求項５】
第１および第２の２つの異なるブロックに区分される表示セグメントが混在して位置する領域で、
前記第１のブロックに区分される表示セグメントが前記第２のブロックに区分される表示セグメントより多い比率で混在して位置する部分に、
前記第１のブロックに区分される表示セグメントと前記第２のブロックに区分される表示セグメントが同一比率で混在して位置する部分を隣接させ、
前記第１のブロックに区分される表示セグメントと前記第２のブロックに区分される表示セグメントが同一比率で混在して位置する部分に、
前記第１のブロックに区分される表示セグメントが前記第２のブロックに区分される表示セグメントより少ない比率で混在して位置する部分を隣接したことを特徴とする請求項１から請求項４に記載の表示装置。
【請求項６】
前記複数のブロックに対応して設けられた電圧印加手段は前記複数のブロックに対応して振幅的または時間的に異なる部分を有する駆動波形にて駆動することを特徴とする請求項１から請求項５に記載の表示装置。
【請求項７】
表示セグメントに表示に先だって情報を書き込む期間を、２つ以上のブロックで異ならせたことを特徴とする請求項１から請求項６に記載の表示装置。
【請求項８】
前記複数のブロックに区分された各々のブロックに表示される情報が異なる部分を有することを特徴とする請求項１から請求項７に記載の表示装置。
【請求項９】
前記複数のブロックに区分された各々のブロックを構成する要素の電気的特性が異なる部分を有することを特徴とする請求項１から請求項７に記載の表示装置。
【発明の詳細な説明】
【技術分野】
【０００１】
本発明は、表示画面を複数の領域に分割して駆動して表示する表示装置に関する。
【背景技術】
【０００２】
従来の表示装置としては、隣接するブロックの境界領域で、２つのブロックに属する電極を１本または複数本づつ交互に配置するものがあった（例えば、特許文献１参照）。図８は、その従来の表示装置の概略構成を示すブロック図である。
【０００３】
図８において、ディスプレイ装置１０１は表示セグメントである複数の表示ラインＰ１〜Ｐ４４から構成されている。各表示ラインはＡ電極（Ａ１〜Ａ４４）とＢ電極（Ｂ１〜Ｂ４４）に印加される電圧により発光する。駆動素子の負荷を分散させるため、Ａ電極側、Ｂ電極側のいずれのドライバもそれぞれ２つのブロックに分割して駆動している。これに合わせて、ディスプレイ装置１０１の表示ラインも２つのグループに区分される。
【０００４】
ここで、表示ラインが図９のディスプレイ装置１０２として示すように、単純に分割されたものであると、表示情報の違いやドライバの配置上の特性差など、ブロックを構成する要素の電気的特性の差によって、ブロック間で表示輝度差が発生し、例えば図１０に示すように、ブロックの境界で、Ｌ１の輝度とＬ２の輝度との境目が観測され易くなってしまう。そのために、図８に示すように、分割したブロックの境界部分で２つのブロックに属する表示ラインを１本づつ、または複数本づつ交互に配置することが行われる。
【０００５】
たとえば図８において、表示ラインのＡ電極Ａ１〜Ａ１４は第１Ａ電極ドライバにストレートに接続するが、Ａ電極のＡ１５、Ａ１７、・・・、Ａ２９は第２Ａ電極ドライバに接続し、Ａ１６、Ａ１８、・・・、Ａ３０は第１Ａ電極ドライバにストレートに接続する。このように境界部分において、それぞれのブロックの輝度を等価的に平均した領域を作り、これによって分割の境界部分での境目の発生を緩和しようとするものである。
【特許文献１】特開２０００−２８４７４７号公報
【発明の開示】
【発明が解決しようとする課題】
【０００６】
上述した従来の構成では、ブロック間の輝度差を緩和する目的のため、それぞれのブロックに属する表示ラインを等分に配置して、中間の輝度をもつ部分を隣接するブロックの間に作り出していたため、輝度差軽減の効果を得るためには、この中間の輝度をもつ部分をある程度の大面積で確保する必要があった。
【０００７】
しかしながら、この部分が大きすぎると、図１１に示すようにＬ１の輝度とＬ２の輝度をもつ２つのブロックの境界部分に、第三の中間輝度Ｌ３をもった輝度の平坦部分が観測されるようになり、結果として十分にブロック間の輝度差を緩和することができないという相反する課題を有していた。
【０００８】
本発明はこのような課題に鑑みて行われたものであり、表示領域を複数ブロックに分割した駆動を行う際に、ブロック間での輝度差を低減することで、輝度差による境目の発生を抑制することが可能な表示装置を提供することを目的とする。
【課題を解決するための手段】
【０００９】
上記目的を実現するために本発明の表示装置は、１つまたは複数の第１の電極と、複数の第２の電極と、前記１つまたは複数の第１の電極と前記複数の第２の電極により定められる複数の表示セグメントと、前記第１の電極に電圧を印加する手段と、前記複数の第２の電極に電圧を印加する複数の電圧印加手段とを備え、前記複数の表示セグメントは複数のブロックに区分され、前記電圧印加手段は前記複数のブロックに対応して設けられ、前記複数のブロックのうち、異なるブロックに区分される表示セグメントを混在して位置させる領域において、前記混在して位置させる比率を複数段階で変化させる。
【００１０】
本構成によって、表示領域を複数ブロックに分割した駆動を行う際に、ブロックの中間部分は等価的に滑らかに輝度が変化する部分を設けることができる。このため、従来のように平坦な輝度をもった領域がブロックの中間部分に新たに観測されてしまうことを抑止して、ブロック間に境目が発生することを効果的に抑制できる。
【００１１】
また、本発明の表示装置は、前記した構成に加え、表示セグメントに表示に先だって情報を書き込む期間を、２つ以上のブロックで異ならせている。
【００１２】
本構成によって、同一のブロックに属する表示セグメントを駆動する際に、複数のブロック間で異なる電圧を同時に表示素子に印加することでより性能を向上させた駆動を可能にするとともに、ブロックの区分に伴う輝度差の発生を抑えつつ、各々のブロックを構成する素子の耐圧を低く抑えることができる。
【発明の効果】
【００１３】
本発明の表示装置によれば、表示領域を複数ブロックに分割した駆動を行う際に、ブロック間に境目が発生することを効果的に抑制できるとともに、各々のブロックを構成する素子に必要な耐圧を低く抑えることができる。
【発明を実施するための最良の形態】
【００１４】
以下本発明のいくつかの実施の形態について、図面を参照しながら説明する。
【００１５】
（実施の形態１）
図１は、本発明の実施の形態１による表示装置の概略構成を示すブロック図である。図１において、図８と同じ構成要素については同じ符号を用い、説明を省略する。
【００１６】
図１において、ディスプレイ装置１のＡ電極Ａ１〜Ａ４４は２つのブロックに分けて第１Ａ電極ドライバ２１と第２Ａ電極ドライバ２２で駆動される。Ａ１〜Ａ１３は第１Ａ電極ドライバ２１に、Ａ３２〜Ａ４４は第２Ａ電極ドライバ２２にそれぞれストレートに接続されるが、第１Ａ電極ドライバ２１の、出力Ｄ１４は表示ラインのＡ１５に、Ｄ１５はＡ１６に、Ｄ１６はＡ１７にそれぞれ接続される。さらに図示するように、Ｄ１７とＡ１９、Ｄ１８とＡ２０、Ｄ１９とＡ２２、Ｄ２０とＡ２４、Ｄ２１とＡ２７、Ｄ２２とＡ３１、第２Ａ電極ドライバ２２の出力Ｄ２３とＡ１４、Ｄ２４とＡ１８、Ｄ２５とＡ２１、Ｄ２６とＡ２３、Ｄ２７とＡ２５、Ｄ２８とＡ２６、Ｄ２９とＡ２８、Ｄ３０とＡ２９、Ｄ３１とＡ３０とを接続する。なお、第１Ａ電極ドライバ２１と第２Ａ電極ドライバ２２には基準電位電位入力がそれぞれＥ１およびＥ２として設けられており、図２に示す表示パルス「Ｐａ」が表示パルスＡ発生手段３により共通に供給される。
【００１７】
一方、ディスプレイ装置１のＢ電極（Ｂ１〜Ｂ４４）もＡ電極と同様に２つのブロックに区分されており、Ｂ１〜Ｂ１３とＢ３２〜Ｂ４４はそれぞれ第１Ｂ電極ドライバ４１と第２Ｂ電極ドライバ４２にストレートに接続されるが、Ｂ１４、Ｂ１８、Ｂ２１、Ｂ２３、Ｂ２５、Ｂ２６、Ｂ２８、Ｂ２９、Ｂ３０は第２Ｂ電極ドライバ４２に、そして、Ｂ１５、Ｂ１６、Ｂ１７、Ｂ１９、Ｂ２０、Ｂ２２、Ｂ２４、Ｂ２７、Ｂ３１の各電極は第１Ｂ電極ドライバ４１にクロスするように接続される。なお、第１Ｂ電極ドライバ４１と第２Ｂ電極ドライバ４２には、図２に示す表示パルス「Ｐｂ」が表示パルスＢ発生手段５により共通に供給される。
【００１８】
ここで、図２に示すように「Ｐｂ」の波形は波形「Ｐａ」と位相の異なる周期をもった波形である。
【００１９】
なお、第１Ａ電極ドライバ２１および第２Ａ電極ドライバ２２は、Ｅ１またはＥ２に入力された波形を電力増幅して出力するものである。また、第１Ｂ電極ドライバ４１と第２Ｂ電極ドライバ４２も信号「Ｐｂ」を電力増幅して出力するものである。このようにして、各表示ラインはそれぞれのＡ電極およびＢ電極の間の電位差により発光が開始される。
【００２０】
このような構成により、表示ラインＰ１４から表示ラインＰ３１の間は２つのブロックに区分される表示ラインが混在して配置されることになる。また、図１に示すように、各表示ラインに付した番号が大きくなるにつれ、例えば表示ラインＰ１４の属するブロックに区分される表示ラインが占有する比率が高くなるようにしている。
【００２１】
かかる構成によれば、異なるブロックに区分される表示ラインを混在して位置させる領域において、異なるブロックに区分される表示ラインを混在して位置させるとともに、この混在させる比率を複数段階で変化させており、このことにより観測される輝度変化が滑らかなものとなり、ブロックとブロックの中間部分に輝度の平坦部分が検知されることを防いで、輝度差による境目の発生を効果的に抑制することができる。
【００２２】
また、このような構成において、表示ラインＰ２３〜Ｐ２４（図示せず）の付近では２つのブロックに区分される表示ラインが同一の比率で混在している。また、表示ラインＰ１４と表示ラインＰ１５（図示せず）のうちの表示ラインＰ１４など、異なるブロックに区分されかつ隣接する２つの表示ラインの少なくとも一方のラインは、当該表示ラインと同一ブロックに区分される他の表示セグメントと隣接せずに配置されている。言い換えれば、同一ブロックに属する複数の表示ラインが隣接した部分に挟み込まれる、他のブロックに属する表示ラインは最小単位の大きさとなるように配置されている。
【００２３】
かかる構成によれば、異なるブロックの混在した部分で、一方のブロックに属する表示ラインの幅を最小にすることができ、輝度の異なる複数の領域が別個に存在するように感ぜられることを防止し、輝度差による境目の発生を抑制しやすくできる。
【００２４】
図３は本発明の実施の形態における複数ブロックに属する表示ラインの配置と、等価的な輝度変化を説明する図である。図３（ａ）に示すように、表示ラインがすべてブロック１に属する領域と、ブロック１およびブロック２に属する表示ラインが混在する領域と、表示ラインがすべてブロック２に属する領域とで構成されている際に、対応する部分で等価的、あるいは近似的に観測される輝度を図３（ｂ）に示したものである。ここで「等価的、あるいは近似的に観測される輝度」とは、人の目の空間周波数特性による高域成分の低下を考慮した、空間的な低域フィルタ処理を施して、実際に観測される輝度分布を近似したものである。ブロック１およびブロック２に属する表示ラインが混在する領域では、１つのブロックに対する他のブロックの比率が徐々に変化するようにブロック１およびブロック２に属する表示ラインを配置しているので、「観測される近似的な輝度」は図３（ｂ）で示されるように、急激な変化が抑制され、ブロック間の輝度差による境目が検知されるのを防ぐことができる。
【００２５】
なお、本実施の形態において、表示ラインＰ１４〜Ｐ３２の間で２つのブロックに区分される表示ラインを混在するとして説明したが、混在する範囲、混在する本数や、同一ブロックに属する表示ラインの間隔など、混在して配置する方法は、表示装置全体の大きさや、表示装置全体の表示ライン数、想定する視距離などに合わせて種々変形しても良い。また、表示セグメントとして、表示領域の単位を表示ラインとして説明したが、任意の形状の表示単位としても良い。なお、本表示装置は全表示ラインを発光させるものとして各ラインに共通の電圧波形を印加するとして説明したが、表示したい情報に合わせて点灯・非点灯としてもよいことは言うまでもない。
【００２６】
（実施の形態２）
図４は、本発明の実施の形態２の表示装置における複数ブロックに属する表示ラインの配置と、等価的な輝度変化を説明する図である。各表示ラインに電圧を印加するためのドライバブロック等、図１と本質的に同等な部分については説明を省略する。
【００２７】
図４（ａ）においても、図３の場合と同様、ブロック１およびブロック２に属する表示ラインが混在する領域において、１つのブロックに対する他のブロックの比率が徐々に変化するようにブロック１およびブロック２に属する表示ラインを配置しているとみなすことができる。図３の場合と比較して、ブロック１およびブロック２に属する表示ラインが混在する領域が、小さくなっているが、ブロックの輝度差が比較的小さい場合には、このようにブロック１およびブロック２に属する表示ラインを混在させる領域を小さくすることができ、結果として、ドライバブロックおよび表示ラインとを接続する電極の交差数を少なくすることができ、より低コストでブロック間の境目が目立たない表示装置を構成することが可能になる。
【００２８】
（実施の形態３）
図５は、本発明の実施の形態３の表示装置における複数ブロックに属する表示ラインの配置と、等価的な輝度変化を説明する図である。各表示ラインに電圧を印加するための手段等は、図１と本質的に同等であるので説明を省略する。
【００２９】
図５（ａ）は、ブロック１およびブロック２に属する表示ラインが混在する領域において、ブロック１に区分される表示ラインがブロック２に区分される表示ラインより多い比率で混在して位置する部分と、ブロック１に区分される表示ラインとブロック２に区分される表示ラインが同一比率で混在して位置する部分と、ブロック１に区分される表示ラインがブロック２に区分される表示ラインより少ない比率で混在して位置する部分を隣接して構成している場合を示すものである。ブロックの輝度差が比較的大きい場合には、このようにブロック１およびブロック２に属する表示ラインが同一の比率で混在させる領域を比較的大きくとることにより、結果として、ブロック１およびブロック２に属する表示ラインが混在する領域をあまり大きくせずに輝度差が検知されにくくする。このために、ブロック間の輝度差が比較的大きい場合でもドライバブロックおよび表示ラインとを接続する電極の交差数を少なくすることができ、より低コストでブロック間の境目が目立たない表示装置を構成することが可能になる。
【００３０】
（実施の形態４）
図６は、本発明の実施の形態４による表示装置の概略構成を示すブロック図である。図６において、図１の場合と同様、ディスプレイ装置１１のＡ電極Ａ１〜Ａ４４は２つのブロックに分けて第１Ａ電極ドライバ２３と第２Ａ電極ドライバ２４で駆動される。Ａ１〜Ａ１３は第１Ａ電極ドライバ２３に、Ａ３２〜Ａ４４は第２Ａ電極ドライバ２４にそれぞれストレートに接続されるが、第１Ａ電極ドライバ２３の、出力Ｄ１４は表示ラインのＡ１５に、Ｄ１５はＡ１６に、Ｄ１６はＡ１７にそれぞれ接続される。さらに図示するように、Ｄ１７とＡ１９、Ｄ１８とＡ２０、Ｄ１９とＡ２２、Ｄ２０とＡ２４、Ｄ２１とＡ２７、Ｄ２２とＡ３１、第２Ａ電極ドライバ２４の出力Ｄ２３とＡ１４、Ｄ２４とＡ１８、Ｄ２５とＡ２１、Ｄ２６とＡ２３、Ｄ２７とＡ２５、Ｄ２８とＡ２６、Ｄ２９とＡ２８、Ｄ３０とＡ２９、Ｄ３１とＡ３０とを接続する。このように、２つのブロックに分けた電極を混在して配置しているので、ブロック間で輝度差があってもブロック間の境目が目立たない表示装置を構成することが可能になるという、図１の場合と同様の効果が得られるが、本実施の形態ではさらに以下に説明するように、ブロック間で印加する電圧波形を異ならせ、最大輝度を高めた表示を行うなどの性能向上を実現することができる。
【００３１】
図６において、第１Ａ電極ドライバ２３の書き込みパルス入力Ｅｗ１は、第１書き込みパルス列発生手段３１より書き込みパルスＰｗ１が供給され、第２Ａ電極ドライバ２４の書き込みパルス入力Ｅｗ２は、第１書き込みパルス列発生手段３３より書き込みパルスＰｗ２が供給される。また、第１Ａ電極ドライバ２３の表示パルス入力Ｅａ１は、第１Ａ表示パルス列発生手段３２より表示パルスＰａ１が供給され、第２Ａ電極ドライバの表示パルス入力Ｅａ２は、第２Ａ表示パルス列発生手段３４より表示パルスＰａ２がそれぞれ供給される。これら各パルスは、第１Ａ電極ドライバ２３および第２Ａ電極ドライバ２４で電力増幅され、表示パネル１１のＡ電極群に印加される。Ｂ電極群（Ｂ１〜Ｂ４４）は図１の場合と同様に２つのブロックに区分されており、それぞれのブロックに対応して第１Ｂ電極ドライバ４３と第２Ｂ電極ドライバ４４とにより駆動される。なお、第１Ｂ電極ドライバ４３と第２Ｂ電極ドライバ４４は、それぞれ第１Ｂ表示パルス発生手段５１から供給された第１Ｂ表示パルス「Ｐｂ１」と、第２Ｂ表示パルス発生手段５２からの第２Ｂ表示パルス「Ｐｂ２」とを電力増幅して２つのブロックのＢ電極群に供給する。表示パネル１１はさらに、図１の場合と同様のＢ電極群に加え、これらＡ電極群およびＢ電極群と交差するＣ電極群（Ｃ１〜Ｃ１０）を駆動電極として有しており、各交差する位置に表示画素を構成している。図７に各ドライバの出力電圧波形を示す。図７において、Ｄ１、Ｄ２、・・・、Ｄ２２は第１Ａ電極ドライバ２３の各出力波形、Ｄ２３、Ｄ２４、・・・、Ｄ４４は第２Ａ電極ドライバ２４の各出力波形であり、Ｃ１〜Ｃ１０はデータドライバ６の各出力である。
【００３２】
図６に示すように、本実施の形態における表示装置は、第１Ａ電極ドライバ２３、第１書き込みパルス列発生手段３１、第１Ａ表示パルス列発生手段３２、第１Ｂ電極ドライバ４３、第１Ｂ表示パルス発生手段５１およびこれらと接続された表示ラインとにより形成された第１のブロックと、第２Ａ電極ドライバ２４、第２書き込みパルス列発生手段３３、第２Ａ表示パルス列発生手段３４、第２Ｂ電極ドライバ４４、第２Ｂ表示パルス発生手段５２およびこれらと接続された表示ラインとにより形成された第２のブロックに分けられる。なお、データドライバ６およびＣ電極は２つのブロックに共通である。
【００３３】
本実施の形態における表示装置では、情報の表示および発光は基本的に２つのブロックで独立して行われるので、まず第１のブロックでの動作について説明する。情報の表示は、表示すべき情報をいわゆる「潜像」の形で書き込む書き込み期間と、書き込んだ「潜像」を発光させる表示期間とに分けて行われる。図７のｔｗ１に示す期間が第１ブロックの書き込み期間であり、Ｄ１からＤ２２まで順に、負の方向に振幅Ｖａのパルスを走査パルスとして１ラインづつ印加し、走査していくことにより情報を書き込む。なお、この走査パルスと同期して正の方向に振幅Ｖｃまたは振幅０の電圧を、表示しようとする情報に合わせて印加することで、各ラインと交差する部分の発光を画素単位に制御することができる。すなわち、図７に示すｔｗ１の期間でＣ１〜Ｃ１０と各ライン間の電位差を表示画素毎に異ならせることができる。発光させたい表示画素のＣ電極とＡ電極の間には（Ｖａ＋Ｖｃ）の電位差が与えられ、発光させたくない表示画素では（Ｖａ）だけの電位差となり、この電位差により、表示素子の非線形特性を利用して、（Ｖａ＋Ｖｃ）の電位差を与えた表示画素にのみ、発光させたい旨の情報をいわば「潜像」として書き込むことができる。
【００３４】
書き込み期間ｔｗ１に続く表示期間ｔｄ１では、Ａ電極側とＢ電極側に互いに位相の異なる振幅Ｖｂをもったパルス波形が印加され、前述した「潜像」が書き込まれた表示画素においてのみ、印加されるパルス周期で発光が繰り返される。この書き込み期間と表示期間は繰り返して設けられている。
【００３５】
第２ブロックにおいても同様に表示したい情報の書き込みと発光がそれぞれ期間ｔｗ２と期間ｔｄ２に分離して行われる。第１ブロックの場合と書き込み期間がずれている他は基本的に動作は同様である。なお、第１ブロックの表示期間中にもデータドライバから第２ブロックの表示データに関連した電圧波形が現れるが、表示素子の非線形特性により、表示期間中のＣ電極電位の変動を実質的に無視することができる。このために、第１ブロックの表示期間中に第２ブロックに情報書き込みを並行して実施することができ、全体としての表示パルス数を確保して可能な最大輝度を高くすることができる。
【００３６】
このとき、各期間中のディスプレイ装置１１の任意のＡ電極間の電位差は図７から分かるように、１つのブロックが書き込み期間で、他のブロックが表示期間のときに最大値（Ｖａ＋Ｖｃ）と比較的高電圧となるが、本実施の形態のように、書き込み期間をブロック毎に異ならせることにより、各ブロックを形成するＡ電極間の電位差の最大値を（Ｖａ）とすることができ、ドライバ素子をブロック単位に形成することによりドライバに要求される耐圧を低電圧に抑えることができる。なお、ドライバ素子をブロック単位に形成する場合、表示期間中は同一ブロック内のすべてのＡ電極が同電位となるので、ドライバに要求される耐圧は表示期間に表示素子に印加される電圧（Ｖａ）とは直接には左右されず、前述のように、書き込み期間に印加される電圧に依存することになる。
【００３７】
このように、本実施の形態によれば、ディスプレイ装置をブロックに区分した駆動により高輝度化を図り、ブロックの区分に伴う輝度差の発生を抑えつつ、各々のブロックを構成する素子の耐圧を低く抑えることができる。
【産業上の利用可能性】
【００３８】
本発明にかかる表示装置は、表示装置の分割駆動に起因する輝度差の発生を抑制し、高輝度化や、駆動回路毎の負荷のピーク値低減を図ることができ、有用である。また、映像表示装置だけでなく、広告用の大型ディスプレイ等、表示部分をセグメントに分割して駆動する装置において分割による境目を軽減する等の用途にも応用できる。
【図面の簡単な説明】
【００３９】
【図１】本発明の実施の形態１による表示装置の概略構成を示すブロック図
【図２】本発明の実施の形態１における表示パルスの波形例を示す図
【図３】本発明の実施の形態１における表示ラインの配置と等価的な輝度変化を説明する図
【図４】本発明の実施の形態２における表示ラインの配置と等価的な輝度変化を説明する図
【図５】本発明の実施の形態３における表示ラインの配置と等価的な輝度変化を説明する図
【図６】本発明の実施の形態４による表示装置の概略構成を示すブロック図
【図７】本発明の実施の形態４における各ドライバの出力電圧波形図
【図８】従来の表示装置の概略構成を示すブロック図
【図９】表示ラインを単純に分割する場合の説明図
【図１０】ブロックの境界で観測され易い輝度差の説明図
【図１１】従来の表示装置における表示ラインの配置と等価的な輝度変化を説明する図
【符号の説明】
【００４０】
１、１１  表示パネル
２１、２２、２３、２４  Ａ電極ドライバ
３、３２、３４  表示パルスＡ発生手段
３１、３３  書き込みパルス発生手段
４１、４２、４３、４４  Ｂ電極ドライバ
５、５１、５２  表示パルスＢ発生手段
６  データドライバ
Ｐａ、Ｐａ１、Ｐａ２  表示パルスＡ
Ｐｂ、Ｐｂ１、Ｐｂ２  表示パルスＢ
Ｐｗ１、Ｐｗ２  書き込みパルス
【図１】
2005215402.tif 000003
【図２】
2005215402.tif 000004
【図３】
2005215402.tif 000005
【図４】
2005215402.tif 000006
【図５】
2005215402.tif 000007
【図６】
2005215402.tif 000008
【図７】
2005215402.tif 000009
【図８】
2005215402.tif 000010
【図９】
2005215402.tif 000011
【図１０】
2005215402.tif 000012
【図１１】
2005215402.tif 000013